(57)【要約】【課題】状態量表示装置の状態量が所定量である旨を、携帯端末のユーザに提示する。【解決手段】状態量表示装置は、その状態量に応じた電気信号を生成して表示を行う。通信モジュールは、電気信号によって示される状態量が所定量である旨を検出して検出情報として生成する信号検出部と、検出情報を無線信号として送信する送信部とを備える。携帯端末は、無線信号を受信して、その無線信号に含まれる検出情報に基づいてユーザに対する提示を行う。送信部が検出情報とともにその検出した通信モジュールを識別するための検出通信モジュール識別情報を送信するようにして、提示対象となる通信モジュールから検出情報が送信された場合のみ提示部が提示を行うようにしてもよい。【選択図】図７
2015219688.tif 000002
【特許請求の範囲】
【請求項１】
状態量表示装置と、前記状態量表示装置に関する情報を無線信号として送信する通信モジュールと、前記無線信号を受信可能な携帯端末とを具備する情報システムであって、
前記状態量表示装置は、
前記状態量表示装置の状態量に応じた電気信号を生成する信号生成部と、
前記電気信号を検出して前記状態量に応じた表示を行う表示部と
を備え、
前記通信モジュールは、
前記電気信号によって示される前記状態量が所定量である旨を検出して検出情報として生成する信号検出部と、
前記検出情報を前記無線信号として送信する送信部と
を備え、
前記携帯端末は、
前記無線信号を受信する受信部と、
受信した前記無線信号に含まれる前記検出情報に基づいて提示を行う提示部と
を備える
情報システム。
【請求項２】
前記表示部は、前記状態量に応じた複数の表示領域を備え、
前記信号生成部は、前記複数の表示領域に対応する複数の信号線に前記電気信号を出力し、
前記信号検出部は、前記複数の信号線のうち１つの信号線のみに基づいて前記検出情報を生成する
請求項１記載の情報システム。
【請求項３】
前記表示部は、前記状態量に応じた複数の表示領域を備え、
前記信号生成部は、前記複数の表示領域に対応する複数の信号線に前記電気信号を出力し、
前記信号検出部は、前記複数の信号線のうち２つの信号線における電位差に基づいて前記検出情報を生成する
請求項１記載の情報システム。
【請求項４】
前記送信部は、前記検出情報とともにその検出した通信モジュールを識別するための検出通信モジュール識別情報を前記無線信号として送信し、
前記携帯端末は、
提示対象となる通信モジュールを識別するための対象通信モジュール識別情報を記憶する対象通信モジュール識別情報記憶部と、
前記検出通信モジュール識別情報と前記対象通信モジュール識別情報とが一致するか否かを判定する判定部と
をさらに備え、
前記提示部は、前記検出通信モジュール識別情報と前記対象通信モジュール識別情報とが一致する場合に前記提示を行う
請求項１記載の情報システム。
【請求項５】
提示対象となる通信モジュールを識別するための対象通信モジュール識別情報と前記対象通信モジュール識別情報に対応する提示情報とを関連付けて管理するサーバをさらに具備し、
前記送信部は、前記検出情報とともにその検出した通信モジュールを識別するための検出通信モジュール識別情報を前記無線信号として送信し、
前記携帯端末は、前記検出通信モジュール識別情報に対応する前記提示情報を前記サーバに問い合わせるサーバ通信部をさらに備え、
前記提示部は、返送された前記提示情報に基づいて前記提示を行う
請求項１記載の情報システム。
【請求項６】
前記状態量表示装置は、所定の内容物の排出口の開閉回数を検出する開閉検出部をさらに備え、
前記信号生成部は、前記開閉検出部による検出結果に応じて前記状態量に応じた電気信号を生成する
請求項１記載の情報システム。
【請求項７】
状態量表示装置と、前記状態量表示装置に関する情報を無線信号として送信する通信モジュールと、前記無線信号を受信可能な携帯端末とを具備する情報システムであって、
前記状態量表示装置は、
前記状態量表示装置の状態量に応じた電気信号を生成する信号生成部と、
前記電気信号を検出して前記状態量に応じた表示を行う表示部と、
前記電気信号によって示される前記状態量が所定量である旨を検出して検出情報として生成する信号検出部と
を備え、
前記通信モジュールは、
前記検出情報を前記無線信号として送信する送信部
を備え、
前記携帯端末は、
前記無線信号を受信する受信部と、
受信した前記無線信号に含まれる前記検出情報に基づいて提示を行う提示部と
を備える
情報システム。
【請求項８】
状態量に応じた電気信号を生成して表示を行う状態量表示装置と、前記状態量表示装置に関する情報を無線信号として送信する通信モジュールと、前記無線信号を受信して前記無線信号に含まれる前記検出情報に基づいて提示を行う携帯端末とを備える情報システムにおける通信モジュールであって、
前記電気信号によって示される前記状態量が所定量である旨を検出して検出情報として生成する信号検出部と、
前記検出情報を前記無線信号として前記携帯端末に送信する送信部と
を具備する通信モジュール。
【請求項９】
状態量に応じた電気信号を生成して表示を行う状態量表示装置と、前記状態量表示装置に関する情報を無線信号として送信する通信モジュールと、前記無線信号を受信して前記無線信号に含まれる前記検出情報に基づいて提示を行う携帯端末とを備える情報システムにおいて、
前記電気信号によって示される前記状態量が所定量である旨を検出して検出情報として生成する信号検出手順と、
前記検出情報を前記無線信号として前記携帯端末に送信する送信手順と
を備える状態量検出方法。
【発明の詳細な説明】
【技術分野】
【０００１】
本発明は、機器の状態量を提示する技術に関する。詳しくは、機器の状態量が所定量である旨を検出して携帯端末に提示させる情報システム、通信モジュールおよび状態量検出方法に関する。
【背景技術】
【０００２】
近年、事務機器や家電機器等の民生用機器にネットワーク通信機能を付加し、機器が測定したデータ、使用履歴、動作状態などの情報を、ネットワークを介してサーバ等に伝送することによって、ユーザの端末から閲覧させるシステムが知られている。また、ネットワーク通信機能を備えない機器に対して通信システムＬＳＩを内蔵させることにより、機器内部の電気信号から得た情報をクラウドネットワークに送信するシステムが提案されている（例えば、特許文献１参照。）。
【先行技術文献】
【特許文献】
【０００３】
【特許文献１】特開２０１３−１８２２７９号公報
【発明の概要】
【発明が解決しようとする課題】
【０００４】
上述の従来技術では、通信システムＬＳＩ以外のハードウェアおよびソフトウェアを必要とすることなく、機器をネットワークに接続させることができる。しかしながら、この従来技術では、セグメント液晶表示器に対する電気信号を解析して、そのセグメント液晶表示器に表示している画面の情報を取得するように構成しているため、その全ての情報をリアルタイムに送信する必要がある。そのため、通信システムＬＳＩにおける電力が消耗しやすくなるという問題がある。
【０００５】
本発明はこのような状況に鑑みて生み出されたものであり、状態量表示装置の状態量が所定量である旨を、携帯端末のユーザに提示することを目的とする。
【課題を解決するための手段】
【０００６】
本発明は、上述の問題点を解消するためになされたものであり、その第１の側面は、状態量表示装置と、上記状態量表示装置に関する情報を無線信号として送信する通信モジュールと、上記無線信号を受信可能な携帯端末とを具備する情報システムであって、上記状態量表示装置は、上記状態量表示装置の状態量に応じた電気信号を生成する信号生成部と、上記電気信号を検出して上記状態量に応じた表示を行う表示部とを備え、上記通信モジュールは、上記電気信号によって示される上記状態量が所定量である旨を検出して検出情報として生成する信号検出部と、上記検出情報を上記無線信号として送信する送信部とを備え、上記携帯端末は、上記無線信号を受信する受信部と、受信した上記無線信号に含まれる上記検出情報に基づいて提示を行う提示部とを備える情報システム、その通信モジュールおよびその状態量検出方法である。これにより、状態量が所定量である旨を提示させるという作用をもたらす。
【発明の効果】
【０００７】
本発明によれば、状態量表示装置の状態量が所定量である旨を、携帯端末のユーザに提示することができるという優れた効果を奏し得る。
【図面の簡単な説明】
【０００８】
【図１】本発明の実施の形態における情報システムの一例の概要を示す図である。
【図２】本発明の実施の形態における浄水器１０の外観例を示す図である。
【図３】本発明の実施の形態における表示部１９０の表示例を示す図である。
【図４】本発明の実施の形態における状態量表示装置１００と通信モジュール２００の構成例を示す図である。
【図５】本発明の実施の形態における状態量表示装置１００と通信モジュール２００の関係例を示す図である。
【図６】本発明の実施の形態における状態量表示装置１００のＣＯＭＭＯＮ信号とＳＥＧＭＥＮＴ信号の関係例を示す図である。
【図７】本発明の第１の実施の形態における情報システムのシステム構成例を示す図である。
【図８】本発明の第１の実施の形態における対応情報データベース６４０の記憶構成例を示す図である。
【図９】本発明の第１の実施の形態における情報システムの処理手順例を示すシーケンス図である。
【図１０】本発明の第２の実施の形態における情報システムのシステム構成例を示す図である。
【図１１】本発明の第２の実施の形態における情報システムの処理手順例を示すシーケンス図である。
【発明を実施するための形態】
【０００９】
以下、本発明を実施するための形態（以下、実施の形態と称する）について説明する。
【００１０】
＜１．第１の実施の形態＞
［情報システムの概要］
図１は、本発明の実施の形態における情報システムの一例の概要を示す図である。ここでは、機器として浄水器１０を想定する。この浄水器１０の本体は、水道水などを浄化するための交換フィルタを備えている。ユーザはその消耗の度合いに応じてこの交換フィルタを交換する必要がある。
【００１１】
浄水器１０において、例えば上部に状態量表示装置１００を付加することにより、浄水器１０の状態量を表示する。ここでは、状態量として交換フィルタの消耗の度合いを想定する。後述するように、浄水器１０が使用された回数を検出することにより、交換フィルタの消耗の度合いを推定することができる。ユーザはこの状態量表示装置１００による表示を目視することにより、現在の交換フィルタの消耗の度合いを把握することができる。しかし、ユーザが毎度その表示を目視するとは限らないため、交換フィルタの交換タイミングを逃してしまうおそれがある。
【００１２】
そこで、本発明の実施の形態では、状態量表示装置１００の状態量が交換タイミングを示す所定量である旨を、携帯端末３００に提示する。状態量表示装置１００は、本来は通信機能を有しないものであり、これに対して、後述する通信モジュールを付加することにより情報の送信を可能にする。
【００１３】
［状態量表示装置］
図２は、本発明の実施の形態における浄水器１０の外観例を示す図である。状態量表示装置１００は、この浄水器１０の上部に設けられる。状態量表示装置１００の表面には表示部１９０が設けられており、この表示部１９０によって交換フィルタの消耗の度合いを表示する。
【００１４】
図３は、本発明の実施の形態における表示部１９０の表示例を示す図である。この例では、交換フィルタの消耗の度合いを示すために、未使用の状態で「１００％」を、最大限使用された状態で「０％」をそれぞれ示すものとして、「１００％」、「８０％」、「６０％」、「４０％」、「２０％」、「０％」の６段階の表示を行うことができるようになっている。ここで、例えば「０％」の表示になったときに、交換タイミングを示す旨を検出する。また、余裕を見て、「２０％」の表示になったときに、交換タイミングを示す旨を検出するようにしてもよい。
【００１５】
図４は、本発明の実施の形態における状態量表示装置１００と通信モジュール２００の構成例を示す図である。
【００１６】
状態量表示装置１００は、浄水器１０の状態量を表示するものである。この状態量表示装置１００は、蓋開閉検出部１１０と、制御部１２０と、信号生成部１３０と、表示部１９０とを備える。
【００１７】
蓋開閉検出部１１０は、浄水器１０の蓋の開閉を検出するセンサーである。浄水器１０には、本体内に貯蔵した水を外部に注ぐための注水口を有しており、この注水口の上部には蓋が設けられている。ユーザが浄水器１０を傾けることにより蓋が開閉するようになっている。この蓋には例えばマグネティックセンサーが設置される。このマグネティックセンサーは、蓋の開閉を検知するものであり、その検知結果から蓋の開閉回数をカウントできるようになっている。
【００１８】
制御部１２０は、蓋開閉検出部１１０によって検出された蓋の開閉の検知結果を受けて、蓋の開閉回数をカウントするものである。制御部１２０は、この蓋の開閉回数に基づいて、交換フィルタの消耗の度合いを推定する。例えば、上述のように、６段階の表示を想定して、いずれの状態量であるかを信号生成部１３０に供給する。
【００１９】
信号生成部１３０は、制御部１２０から供給された状態量に基づいて、表示部１９０に対する制御信号を生成して、信号線１３９に出力するものである。
【００２０】
表示部１９０は、浄水器１０の交換フィルタの消耗の度合いを示すために、状態量を表示するものである。この表示部１９０における表示内容は、例えば図３により示したものであり、それぞれの段階に対応して信号線１３９が設けられている。
【００２１】
通信モジュール２００は、状態量表示装置１００における状態量が所定量になった旨を検出して無線信号として送信するものである。この通信モジュール２００は、例えば、通信システムＬＳＩとして実現することができる。この通信モジュール２００は、信号取得部２１０と、信号変換部２２０と、送信部２３０と、処理部２４０と、メモリ２５０とを備える。
【００２２】
信号取得部２１０は、状態量表示装置１００の信号線１３９から状態量を示す信号を取得するものである。
【００２３】
信号変換部２２０は、信号取得部２１０によって取得された状態量を示す信号から、状態量が所定量（所定の閾値）になった旨を検出して、検出情報として生成するものである。なお、この例では、通信モジュール２００において所定量になった旨を検出するものとしているが、この検出は状態量表示装置１００において行うようにしてもよい。
【００２４】
メモリ２５０は、通信モジュール２００が動作するために必要なデータ等を記憶するメモリである。例えば、このメモリ２５０は、通信モジュール２００を識別するための通信モジュール識別情報２４１を記憶する。
【００２５】
処理部２４０は、通信モジュール２００が動作するために必要な処理を行うものである。例えば、この処理部２４０は、メモリ２５０から通信モジュール識別情報２４１を読み出して送信部２３０に供給する。
【００２６】
送信部２３０は、処理部２４０から供給された通信モジュール識別情報２４１および信号変換部２２０によって生成された検出情報を、無線信号として携帯端末３００に送信するものである。
【００２７】
図５は、本発明の実施の形態における状態量表示装置１００と通信モジュール２００の関係例を示す図である。
【００２８】
信号生成部１３０から表示部１９０に対する信号線１３９が６段階の表示の各々に１本ずつ存在して、所定量を示す表示信号のオンまたはオフを監視すれば足りる場合には、通信モジュール２００は、図５（ａ）のように信号線１３９の１本のみと接続される。この場合、通信モジュール２００の信号変換部２２０は、信号線１３９の該当する１本の信号がオンまたはオフになったことによって、状態量が所定量になったことを検出する。
【００２９】
一方、信号生成部１３０から表示部１９０に対する信号線１３９のうち２本の電位差によって、所定量を示す表示信号が表される場合には、通信モジュール２００は、図５（ｂ）のように信号線１３９の２本と接続される。この場合、６段階の表示のうち所定量を示すものがＣＯＭＭＯＮ信号（ＣＯＭ信号）とＳＥＧＭＥＮＴ信号（ＳＥＧ信号）により表されるものとして、図６（ａ）のように両者間の電位が等しく電位差がゼロの場合には消灯、図６（ｂ）のように両者間の電位が異なって電位差がゼロでない場合には点灯するものと定義することができる。これにより、通信モジュール２００の信号変換部２２０は、ＣＯＭ信号とＳＥＧ信号の電位差を検出することにより、状態量が所定量になったことを検出する。
【００３０】
これら信号生成部１３０によって生成される信号の形式は様々なものが考えられるが、本発明においてはいずれの形式を採用してもよい。
【００３１】
［システム構成］
図７は、本発明の第１の実施の形態における情報システムのシステム構成例を示す図である。この第１の実施の形態における情報システムは、状態量表示装置１００と、通信モジュール２００と、携帯端末３００と、ネットワーク５００と、サーバ６００とを備える。状態量表示装置１００および通信モジュール２００の構成例については、上述のとおりである。
【００３２】
携帯端末３００は、ユーザが使用する携帯端末である。この携帯端末３００としては、例えば、携帯電話機やタブレット端末等が想定される。この携帯端末３００は、受信部３１０と、処理部３２０と、操作部３３０と、提示部３４０と、サーバ通信部３５０とを備える。
【００３３】
受信部３１０は、通信モジュール２００からの無線信号を受信するものである。処理部３２０は、携帯端末３００が動作するために必要な処理を行うものである。ここでは、処理部３２０がアプリケーション４００を実行することを想定している。操作部３３０は、ユーザからの操作を受け付けるものである。この操作部３３０としては、例えば、タッチパネルやボタンなどが想定される。提示部３４０は、ユーザに対して情報を提示するものである。この提示部３４０としては、例えば、液晶ディスプレイやスピーカなどが想定される。サーバ通信部３５０は、ネットワーク５００を介してサーバ６００との通信を行うものである。
【００３４】
サーバ６００は、携帯端末３００に提示する情報を管理するためのサーバである。このサーバ６００は、サーバメモリ６２０と、処理部６３０と、端末通信部６５０とを備える。
【００３５】
処理部６３０は、サーバ６００が動作するために必要な処理を行うものである。サーバメモリ６２０は、サーバ６００が動作するために必要なデータ等を記憶するメモリである。例えば、このサーバメモリ６２０は、次図により説明する対応情報データベース６４０を記憶して、携帯端末３００に提示する情報を管理する。端末通信部６５０は、ネットワーク５００を介して携帯端末３００との通信を行うものである。
【００３６】
ネットワーク５００は、携帯端末３００とサーバ６００との間を相互に接続するネットワークである。このネットワーク５００としては、例えば、無線ＬＡＮや携帯電話回線などが想定される。
【００３７】
図８は、本発明の第１の実施の形態における対応情報データベース６４０の記憶構成例を示す図である。この対応情報データベース６４０は、通信モジュール識別情報６４１と、浄水器情報６４２と、提示情報６４３とを関連付けて対応関係を記憶するものである。
【００３８】
通信モジュール識別情報６４１は、通信モジュール２００を識別する識別情報である。浄水器情報６４２は、浄水器１０を示す情報である。提示情報６４３は、携帯端末３００に提示する情報である。この例では、浄水器１０における交換フィルタについて、交換が必要である旨を示す情報が記憶されている。
【００３９】
サーバ６００は、携帯端末３００から送信された通信モジュール２００の識別情報に一致する通信モジュール識別情報６４１を検索する。そして、サーバ６００は、その一致した通信モジュール識別情報６４１に対応する提示情報６４３を抽出して、携帯端末３００に返送する。これにより、携帯端末３００は、サーバ６００から受け取った提示情報を提示部３４０によって提示することができる。例えば、携帯端末３００の提示部３４０には、フィルタの交換が必要である旨が映像や音声によってユーザに対して提示される。
【００４０】
［動作］
図９は、本発明の第１の実施の形態における情報システムの処理手順例を示すシーケンス図である。
【００４１】
まず、状態量表示装置１００の電源が投入されると（Ｓ８１１）、通信モジュール２００による監視が行われて、信号取得部２１０によって例えばＣＯＭ信号とＳＥＧ信号が取得される（Ｓ８２１）。状態量表示装置１００の蓋開閉検出部１１０において蓋の開閉が検出されると（Ｓ８１２）、制御部１２０は蓋の開閉回数を算出し、蓋の開閉回数から、フィルタの消耗度合いを算出する（Ｓ８１３）。そして、フィルタの消耗度合いが閾値以下である場合には、信号生成部１３０は閾値に対応するＳＥＧ信号の位相をＣＯＭ信号とは異なるものにする（Ｓ８１４）。表示部１９０は、状態量を示すセグメント表示を、フィルタの消耗度合いに応じて点灯させる（Ｓ８１５）。
【００４２】
状態量表示装置１００における表示動作と並行して、通信モジュール２００では、信号変換部２２０が、表示部１９０に閾値を示す表示信号が現れた旨を検出する（Ｓ８２２）。そして、送信部２３０が、その検出情報と通信モジュール２００の識別情報とを無線信号として携帯端末３００に送信する。
【００４３】
携帯端末３００は、通信モジュール２００から送信された、検出情報と通信モジュール２００の識別情報とを含む無線信号を受信部３１０によって受信すると（Ｓ８３１）、サーバ通信部３５０によって通信モジュール２００の識別情報をサーバ６００に送信して問合せを行う（Ｓ８３２）。
【００４４】
サーバ６００は、端末通信部６５０によって携帯端末３００からの問合せを受信すると（Ｓ８４１）、通信モジュール２００の識別情報に対応する提示情報を対応情報データベース６４０において検索して、携帯端末３００に返送する（Ｓ８４２）。
【００４５】
携帯端末３００は、サーバ６００から提示情報を受信すると（Ｓ８３３）、その提示情報を提示部３４０に提示させる（Ｓ８３４）。
【００４６】
このように、本発明の第１の実施の形態によれば、状態量表示装置１００の状態量が所定量になった旨を通信モジュール２００によって携帯端末３００に送信し、通信モジュール２００に基づいてサーバ６００に提示情報を問い合わせることにより、適切な情報をユーザに提示することができる。なお、本発明の第１の実施の形態では、蓋の開閉回数に基づいてフィルタの消耗度合いを算出しているが、タイマーを設けて、そのタイマーの示す使用時間に基づいてフィルタの消耗度合いを算出する等の手法を採用してもよい。
【００４７】
＜２．第２の実施の形態＞
上述の第１の実施の形態では、携帯端末３００が提示情報をサーバ６００に問い合わせていたが、提示情報を携帯端末３００が認識している場合には問合せを行うことなく、ユーザに情報を提示してもよい。この第２の実施の形態では、携帯端末３００がサーバ６００に問合せをすることなく、状態量表示装置１００の状態量が所定量になった旨を提示する。
【００４８】
［システム構成］
図１０は、本発明の第２の実施の形態における情報システムのシステム構成例を示す図である。この第２の実施の形態における情報システムは、状態量表示装置１００と、通信モジュール２００と、携帯端末３００とを備える。状態量表示装置１００および通信モジュール２００の構成については第１の実施の形態と同様であるため、詳細な説明を省略する。
【００４９】
携帯端末３００は、受信部３１０と、処理部３２０と、操作部３３０と、提示部３４０とを備える。すなわち、第１の実施の形態と比べて、サーバ通信部３５０が省かれている。
【００５０】
この第２の実施の形態では、処理部３２０が実行するアプリケーション４００において、アプリケーション記憶部４１０と、判定部４２０とを備える。アプリケーション記憶部４１０は、アプリケーション４００の実行に必要な情報を記憶するメモリである。ここでは、この携帯端末３００に対応する通信モジュール２００の識別情報を通信モジュール識別情報４１１として記憶する。
【００５１】
判定部４２０は、通信モジュール２００から受信した通信モジュール識別情報と、アプリケーション記憶部４１０に記憶されている通信モジュール識別情報４１１とが一致しているか否かを判定するものである。両者が一致している場合には、予め用意された提示情報を提示部３４０から提示する。一方、両者が一致しない場合には、提示部３４０からの提示を行わない。
【００５２】
［動作］
図１１は、本発明の第２の実施の形態における情報システムの処理手順例を示すシーケンス図である。
【００５３】
まず、状態量表示装置１００の電源が投入（Ｓ８５１）された後に、状態量表示装置１００の蓋開閉検出部１１０において蓋の開閉が検出されると（Ｓ８５２）、制御部１２０は蓋の開閉回数を算出する（Ｓ８５３）。そして、信号生成部１３０は蓋の開閉回数に応じた信号を生成する（Ｓ８５４）。表示部１９０は、状態量を示すセグメント表示を、蓋の開閉回数に応じて点灯させる（Ｓ８５５）。
【００５４】
通信モジュール２００は、信号生成部１３０によって生成された信号を監視して、信号取得部２１０によって例えば閾値である数値に対応する信号が取得される（Ｓ８６１）。そして、信号変換部２２０が閾値である数値に対応する信号を検出すると（Ｓ８６２）、送信部２３０が、その検出情報と通信モジュール２００の識別情報とを無線信号として携帯端末３００に送信する。
【００５５】
携帯端末３００は、通信モジュール２００から送信された、検出情報と通信モジュール２００の識別情報とを含む無線信号を受信部３１０によって受信すると（Ｓ８７１）、通信モジュール２００から受信した通信モジュール識別情報と、アプリケーション記憶部４１０に記憶されている通信モジュール識別情報４１１とが一致しているか否かを判定する（Ｓ８７２）。そして、両者が一致している場合には、予め用意された提示情報として、フィルタ交換が必要である旨を提示部３４０に提示させる（Ｓ８７３）。
【００５６】
このように、本発明の第２の実施の形態によれば、状態量表示装置１００の状態量が所定量になった旨を通信モジュール２００によって携帯端末３００に送信し、通信モジュール識別情報が予定したものであれば、予め用意された提示情報をユーザに提示することができる。
【００５７】
なお、この第２の実施の形態では、判定部４２０によって通信モジュール識別情報の一致を判定しているが、この判定をせずに予め用意された提示情報を提示部３４０に提示させるようにしてもよい。
【００５８】
なお、上述の実施の形態は本発明を具現化するための一例を示したものであり、実施の形態における事項と、特許請求の範囲における発明特定事項とはそれぞれ対応関係を有する。同様に、特許請求の範囲における発明特定事項と、これと同一名称を付した本発明の実施の形態における事項とはそれぞれ対応関係を有する。ただし、本発明は実施の形態に限定されるものではなく、その要旨を逸脱しない範囲において実施の形態に種々の変形を施すことにより具現化することができる。
【００５９】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【符号の説明】
【００６０】
１０  浄水器
１００  状態量表示装置
１１０  蓋開閉検出部
１２０  制御部
１３０  信号生成部
１９０  表示部
２００  通信モジュール
２１０  信号取得部
２２０  信号変換部
２３０  送信部
２４０  処理部
２４１  通信モジュール識別情報
２５０  メモリ
３００  携帯端末
３１０  受信部
３２０  処理部
３３０  操作部
３４０  提示部
３５０  サーバ通信部
４００  アプリケーション
４１０  アプリケーション記憶部
４１１  通信モジュール識別情報
４２０  判定部
５００  ネットワーク
６００  サーバ
６２０  サーバメモリ
６３０  処理部
６４０  対応情報データベース
６５０  端末通信部
【図１】
2015219688.tif 000003
【図２】
2015219688.tif 000004
【図３】
2015219688.tif 000005
【図４】
2015219688.tif 000006
【図５】
2015219688.tif 000007
【図６】
2015219688.tif 000008
【図７】
2015219688.tif 000009
【図８】
2015219688.tif 000010
【図９】
2015219688.tif 000011
【図１０】
2015219688.tif 000012
【図１１】
2015219688.tif 000013